(57)【要約】【課題】追尾対象者に追尾するように移動する自律走行台車において、自律走行台車が追尾対象者を見失った場合、容易かつ手間なく追尾対象者を再認識させることが可能であり、容易かつ手間なく追尾を再開させることができる自律走行台車を提供する。【解決手段】物体検出手段１１と、駆動手段（３５Ｒ、３５Ｌ）と、警報出力手段（３３、３９）と、制御手段（４０）とを有し、制御手段は、追尾対象者からの登録操作にて追尾対象者を登録し、追尾対象者認識状態の場合、物体検出領域内の物体を回避しながら追尾対象者を追尾する追尾動作を実行するように駆動手段を制御し、追尾対象者ロスト状態の場合、警報出力手段を動作させて所定警報を出力し、物体検出領域外から物体検出領域内に移動してきた物体を、見失った前記追尾対象者であると再認識する再認識動作を実行し、再認識した場合、警報出力手段からの所定警報の出力を停止して追尾動作を再開する。【選択図】図１
2019204414.tif 000002
【特許請求の範囲】
【請求項１】
物体検出領域内の物体のサイズ及び位置を検出可能な物体検出手段と、
複数の車輪と、
少なくとも１つの前記車輪を駆動する駆動手段と、
所定警報を出力する警報出力手段と、
前記物体検出手段を用いて検出した物体のサイズ及び位置に応じて前記駆動手段を制御する制御手段と、
を有して、追尾対象者を追尾する自律走行台車であって、
前記制御手段は、
前記追尾対象者からの登録操作によって、前記物体検出手段を用いて前記物体検出領域内に検出されている物体の中の所定物体を前記追尾対象者として登録し、
前記物体検出領域内に検出されている物体の中に前記追尾対象者が認識できている追尾対象者認識状態の場合には、
前記物体検出領域内の物体を回避しながら前記追尾対象者を追尾する追尾動作を実行するように、前記駆動手段を制御し、
前記物体検出領域内に検出されている物体の中に前記追尾対象者が検出できず前記追尾対象者を見失った追尾対象者ロスト状態の場合には、
前記警報出力手段を動作させて前記所定警報を出力し、物体検出領域外から前記物体検出領域内に移動してきた物体を、見失った前記追尾対象者であると再認識する再認識動作を実行し、
前記再認識動作によって前記追尾対象者を再認識した場合には、
前記警報出力手段からの前記所定警報の出力を停止して前記追尾動作を再開する、
自律走行台車。
【請求項２】
請求項１に記載の自律走行台車であって、
前記制御手段は、
前記追尾対象者ロスト状態となった場合、
予め設定された再認識許可時間の間だけ、前記再認識動作を実行する、
自律走行台車。
【請求項３】
請求項２に記載の自律走行台車であって、
前記再認識許可時間を変更可能な再認識許可時間変更手段を有し、
前記制御手段は、
前記再認識許可時間変更手段からの変更情報に応じて、前記再認識許可時間を変更する、
自律走行台車。
【請求項４】
請求項１〜３のいずれか一項に記載の自律走行台車であって、
前記制御手段は、
前記物体検出領域の広さを変更可能であり、
前記追尾対象者ロスト状態の場合の前記物体検出領域を、前記対象者認識状態の場合の前記物体検出領域よりも広くする、
自律走行台車。
【請求項５】
請求項１〜４のいずれか一項に記載の自律走行台車であって、
前記制御手段は、
前記再認識動作の実行中において、
前記物体検出領域外から前記物体検出領域内に移動してきた物体の中から、所定時間の間、連続して検出されている物体を、見失った前記追尾対象者であると再認識する、
自律走行台車。
【請求項６】
請求項１〜５のいずれか一項に記載の自律走行台車であって、
前記制御手段は、
前記再認識動作の実行中において、
前記物体検出領域外から前記物体検出領域内に移動してきた物体の中から、自身に最も近い位置の物体を、見失った前記追尾対象者であると再認識する、
自律走行台車。
【請求項７】
請求項１〜６のいずれか一項に記載の自律走行台車であって、
前記追尾対象者に所持されて無線で前記制御手段に情報を送信可能な無線操作装置を有し、
前記制御手段は、前記無線操作装置からの無線の情報を受信可能な受信手段を有し、
前記無線操作装置は、
前記追尾対象者からの前記登録操作が行われると、前記追尾対象者の登録を要求する登録情報を送信し、
前記制御手段は、
前記受信手段にて前記登録情報を受信すると、前記物体検出手段を用いて前記物体検出領域内に検出されている物体の中から、自身に最も近い位置の物体であり、かつ、登録許容サイズ範囲内のサイズの物体を、前記追尾対象者として登録する、
自律走行台車。
【発明の詳細な説明】
【技術分野】
【０００１】
本発明は、自律走行台車に関する。
【背景技術】
【０００２】
近年では、例えば、種々の荷物（パーツを含む）が収容された複数の棚等を有する製造工場、荷物配送センター、パーツセンター等にて、荷物を入庫する場合や、荷物を出庫する場合に、無人の自律走行台車が利用される場合がある。例えば複数の棚等を有する荷物配送センターに荷物を入庫する場合、追尾対象者は、まず、自身に追尾して移動する自律走行台車に、入庫する荷物を積載する。そして追尾対象者は、各棚等へ移動しながら、自身に追尾している自律走行台車に積載された荷物を、必要な場所に入庫していく。また例えば複数の棚等を有する荷物配送センターから荷物を出庫する場合、追尾対象者は、まず、自身に自律走行台車を追尾させる。そして追尾対象者は、各棚等を移動しながら、出庫する荷物を探し出し、探し出した荷物を、自身に追尾している自律走行台車に積載していく。また、例えば製造工場では、無人の自律走行台車が、種々のパーツ（部品）や、ある工程での完成品を、次の工程へと搬送している。このように、先導する人や物体に追尾する無人の自律走行台車や、特定された経路に従って種々の物品を搬送する無人の自律走行台車が、種々の場面で利用されている。
【０００３】
例えば特許文献１には、走行する先導車両に対して、後続車両が追尾走行を行う追尾システムが開示されている。
【０００４】
また例えば特許文献２には、走行軌道の周辺に沿って複数のターゲットを配置し、無人走行車に搭載したカメラにて、ターゲットを順次視認させながら走行軌道に沿って無人走行車を走行させる無人走行システムが開示されている。
【先行技術文献】
【特許文献】
【０００５】
【特許文献１】特開２００９−１４９１９４号公報
【特許文献２】特開２０１１−１８１５０号公報
【発明の概要】
【発明が解決しようとする課題】
【０００６】
特許文献１に記載の追尾システムでは、後続車両が先導車両を見失った場合において、先導車両をどのようにして再認識させるか、という点について記載が見受けられない。つまり、後続車両が先導車両を見失った場合、先導車両を再認識させて追尾を再開させる方法、手順等が開示されていない。同様に、特許文献２の無人走行システムも、無人走行車がターゲットを見失った場合において、無人走行車にターゲットをどのように再認識させるか、という点について記載が見受けられない。つまり、無人走行車がターゲットを見失った場合、ターゲットを再認識させて自律走行を再開させる方法、手順等が開示されていない。
【０００７】
本発明は、このような点に鑑みて創案されたものであり、追尾対象者に追尾するように移動する自律走行台車において、自律走行台車が追尾対象者を見失った場合、容易かつ手間なく追尾対象者を再認識させることが可能であり、容易かつ手間なく追尾を再開させることができる自律走行台車を提供することを課題とする。
【課題を解決するための手段】
【０００８】
上記課題を解決するため、本発明の第１の発明は、物体検出領域内の物体のサイズ及び位置を検出可能な物体検出手段と、複数の車輪と、少なくとも１つの前記車輪を駆動する駆動手段と、所定警報を出力する警報出力手段と、前記物体検出手段を用いて検出した物体のサイズ及び位置に応じて前記駆動手段を制御する制御手段と、を有して、追尾対象者を追尾する自律走行台車である。そして、前記制御手段は、前記追尾対象者からの登録操作によって、前記物体検出手段を用いて前記物体検出領域内に検出されている物体の中の所定物体を前記追尾対象者として登録する。また、前記物体検出領域内に検出されている物体の中に前記追尾対象者が認識できている追尾対象者認識状態の場合には、前記物体検出領域内の物体を回避しながら前記追尾対象者を追尾する追尾動作を実行するように、前記駆動手段を制御し、前記物体検出領域内に検出されている物体の中に前記追尾対象者が検出できず前記追尾対象者を見失った追尾対象者ロスト状態の場合には、前記警報出力手段を動作させて前記所定警報を出力し、物体検出領域外から前記物体検出領域内に移動してきた物体を、見失った前記追尾対象者であると再認識する再認識動作を実行し、前記再認識動作によって前記追尾対象者を再認識した場合には、前記警報出力手段からの前記所定警報の出力を停止して前記追尾動作を再開する、自律走行台車である。
【０００９】
本発明の第２の発明は、上記第１の発明に係る自律走行台車であって、前記制御手段は、前記追尾対象者ロスト状態となった場合、予め設定された再認識許可時間の間だけ、前記再認識動作を実行する、自律走行台車である。
【００１０】
本発明の第３の発明は、上記第２の発明に係る自律走行台車であって、前記再認識許可時間を変更可能な再認識許可時間変更手段を有し、前記制御手段は、前記再認識許可時間変更手段からの変更情報に応じて、前記再認識許可時間を変更する、自律走行台車である。
【００１１】
本発明の第４の発明は、上記第１の発明〜第３の発明のいずれか１つに係る自律走行台車であって、前記制御手段は、前記物体検出領域の広さを変更可能であり、前記追尾対象者ロスト状態の場合の前記物体検出領域を、前記対象者認識状態の場合の前記物体検出領域よりも広くする、自律走行台車である。
【００１２】
本発明の第５の発明は、上記第１の発明〜第４の発明のいずれか１つに係る自律走行台車であって、前記制御手段は、前記再認識動作の実行中において、前記物体検出領域外から前記物体検出領域内に移動してきた物体の中から、所定時間の間、連続して検出されている物体を、見失った前記追尾対象者であると再認識する、自律走行台車である。
【００１３】
本発明の第６の発明は、上記第１の発明〜第５の発明のいずれか１つに係る自律走行台車であって、前記制御手段は、前記再認識動作の実行中において、前記物体検出領域外から前記物体検出領域内に移動してきた物体の中から、自身に最も近い位置の物体を、見失った前記追尾対象者であると再認識する、自律走行台車である。
【００１４】
本発明の第７の発明は、上記第１の発明〜第６の発明のいずれか１つに係る自律走行台車であって、前記追尾対象者に所持されて無線で前記制御手段に情報を送信可能な無線操作装置を有し、前記制御手段は、前記無線操作装置からの無線の情報を受信可能な受信手段を有し、前記無線操作装置は、前記追尾対象者からの前記登録操作が行われると、前記追尾対象者の登録を要求する登録情報を送信し、前記制御手段は、前記受信手段にて前記登録情報を受信すると、前記物体検出手段を用いて前記物体検出領域内に検出されている物体の中から、自身に最も近い位置の物体であり、かつ、登録許容サイズ範囲内のサイズの物体を、前記追尾対象者として登録する、自律走行台車である。
【発明の効果】
【００１５】
第１の発明によれば、追尾対象者は、自律走行台車が所定警報を出力していることで、自律走行台車の状態が追尾対象者（自身）を見失った追尾対象者ロスト状態であることを容易に認識することができる。追尾対象者ロスト状態であることを認識した追尾対象者は、自律走行台車に近づいていき、物体検出領域外から物体検出領域内に入るだけで、自身を追尾対象者として再認識させて追尾を再開させることができる。従って、自律走行台車が追尾対象者を見失った場合、容易かつ手間なく追尾対象者を再認識させることが可能であり、容易かつ手間なく追尾を再開させることができる。
【００１６】
第２の発明によれば、再認識許可時間の間だけ再認識動作をさせる。例えば、追尾対象者が、自律走行台車が追尾対象者ロスト状態であることに、しばらくの間気付かなかった場合、自律走行台車が、自身とは別人を追尾対象者として誤認識して追尾してしまう誤追尾の発生を抑制することができる。
【００１７】
第３の発明によれば、追尾対象者は、自律走行台車を追尾させる環境等に応じて、再認識許可時間変更手段を用いて再認識許可時間を変更できる。従って、追尾対象者は、環境等に応じて、自身とは別人を追尾対象者として誤認識して追尾してしまう誤追尾の発生の抑制と再認識の容易性とのバランスがとれた再認識許可時間を設定できるので便利である。
【００１８】
第４の発明によれば、自律走行台車は、追尾対象者ロスト状態に陥った場合、物体検出領域を、より広い領域にするので、より容易に追尾対象者の再認識を行うことができる。
【００１９】
第５の発明によれば、自律走行台車が追尾対象者ロスト状態に陥った際、本来の追尾対象者とは別人が物体検出領域を横切った場合等において、本来の追尾対象者とは別人を追尾対象者として誤認識して追尾してしまう誤追尾を適切に回避することができる。
【００２０】
第６の発明によれば、自律走行台車が追尾対象者ロスト状態に陥った際、本来の追尾対象者とは別人を含めた複数人が物体検出領域外から物体検出領域内に入ってきた場合等において、本来の追尾対象者とは別人を追尾対象者として誤認識して追尾してしまう誤追尾を適切に回避することができる。
【００２１】
第７の発明によれば、追尾対象者は無線操作装置を所持して簡単な操作を行うだけで、自律走行台車に自身を追尾対象者として認識及び登録させることができるので便利である。
【図面の簡単な説明】
【００２２】
【図１】本発明の自律走行台車、及び無線操作装置の外観の例を示す斜視図である。
【図２】自律走行台車及び無線操作装置の全体構成を説明する模式図である。
【図３】物体検出手段に対して、最大検出領域内において所望する物体検出領域を設定する例を説明する図である。
【図４】自律走行台車と物体検出領域の例を説明する斜視図である。
【図５】荷物配送センター内で、追尾対象者に自律走行台車を追尾させる例を説明する図である。
【図６】図５の例において、自律走行台車が追尾対象者ロスト状態となった例、及び追尾対象者を再認識させる例を説明する図である。
【図７】自律走行台車の制御手段の処理手順の例を説明するフローチャートである。
【発明を実施するための形態】
【００２３】
以下に本発明を実施するための形態を図面を用いて説明する。なお、Ｘ軸とＹ軸とＺ軸が記載されている図において、Ｘ軸とＹ軸とＺ軸は互いに直交している。また、Ｚ軸方向は鉛直上向き方向を示し、Ｘ軸方向は自律走行台車の前方向を示し、Ｙ軸方向は自律走行台車の左方向を示している。また、Ｕ軸とＶ軸とＷ軸が記載されている図において、Ｕ軸とＶ軸とＷ軸は互いに直交している。また、Ｗ軸方向は実際の指定エリアにおける鉛直上向き方向を示し、Ｕ軸方向は実際の指定エリアにおいて手前に向かう方向を示し、Ｖ軸方向は実際の指定エリアにおける右方向を示している。
【００２４】
●［自律走行台車１及び無線操作装置８０の外観（図１）と全体構成（図２）］
追尾対象者に追尾する自律走行台車には、用途や作業現場等に応じて種々の外観のものがあるが、本実施の形態の説明では図１に示すように、円柱状の外観を有する自律走行台車１を例として説明する。自律走行台車１は、ボディ２、荷台３、右駆動輪４Ｒ、左駆動輪４Ｌ、右キャスタ輪５Ｒ、左キャスタ輪５Ｌ、物体検出手段１１、右補助物体検出手段１２Ｒ、左補助物体検出手段１２Ｌ、メインスイッチ１３Ａ、前方床面検出手段１４、タッチモニタ３１、アンテナ３２、音声出力手段３３、通信用コネクタ３４、右モータ３５Ｒ、左モータ３５Ｌ、制御装置４０、バッテリ３８、表示灯３９等を有している。また追尾対象者が所持する無線操作装置８０は、登録操作部８０Ａ、一時停止操作部８０Ｂ、リセット操作部８０Ｃ、アンテナ８２等を有している。
【００２５】
ボディ２は、図１に示すように、円柱状の形状を有しており、ボディ２の上面は、荷物を載置する荷台３を有している。荷台３には、入庫するべき荷物（パーツを含む）や出庫するべき荷物等が載置される。
【００２６】
右駆動輪４Ｒ（車輪に相当）は、自律走行台車１の右前輪の位置に配置され、直進方向に向きが固定されており、右モータ３５Ｒ（駆動手段に相当）にて前進方向または後進方向に回転駆動される。左駆動輪４Ｌ（車輪に相当）は、自律走行台車１の左前輪の位置に配置され、直進方向に向きが固定されており、左モータ３５Ｌ（駆動手段に相当）にて前進方向または後進方向に回転駆動される。図２に示すように、制御手段４１は、右モータ３５Ｒと左モータ３５Ｌを別々に制御することが可能であり、自律走行台車１に、直進前進、直進後進、右折前進、左折前進、その場で右旋回、その場で左旋回等、の動作をさせることができる。なお、複数の車輪のうち、少なくとも１つの駆動輪を有し、右折、左折等を行う旋回手段を有していてもよい。
【００２７】
右キャスタ輪５Ｒ（車輪に相当）は、自律走行台車１の右後輪の位置に配置され、向きが自由に変更される従動輪である。左キャスタ輪５Ｌ（車輪に相当）は、自律走行台車１の左後輪の位置に配置され、向きが自由に変更される従動輪である。右キャスタ輪５Ｒ、左キャスタ輪５Ｌは、自律走行台車１の、直進前進、直進後進、右折前進、左折前進、その場で右旋回、その場で左旋回等、の動作に応じて向きが変わる。
【００２８】
物体検出手段１１は、自律走行台車１の前上端に配置されている。物体検出手段１１は、例えば、レーザ光を走査させる２次元平面状の物体検出領域を有する物体センサ（いわゆるLaser Range Finder）であり、物体検出領域内の物体（障害物）の位置である物体位置と、物体（障害物）のサイズである物体サイズと、を含む物体検出情報を制御手段４１（図２参照）に出力する。なお、物体検出手段１１の詳細については後述する。
【００２９】
右補助物体検出手段１２Ｒは、例えば超音波センサであり、物体検出手段１１とは異なる方法で周囲の物体の存在を検出する。本実施の形態にて説明する物体検出手段１１では、Laser Range Finderを用いており、レーザが透過するガラス等の検出が不充分な可能性が考えられるので、右補助物体検出手段１２Ｒが追加されている。右補助物体検出手段１２Ｒは、右駆動輪４Ｒの前方の物体（障害物）を検出し、補助物体検出情報を制御手段４１（図２参照）に出力する。なお左補助物体検出手段１２Ｌは、右補助物体検出手段１２Ｒと同様の超音波センサ等であるので、説明を省略する。なお、右補助物体検出手段１２Ｒ、左補助物体検出手段１２Ｌは省略されていてもよい。
【００３０】
前方床面検出手段１４は、例えばレーザや赤外線を用いた距離計測センサであり、自律走行台車１のやや前方の床面までの距離を計測し（図２参照）、前方の床面の凹凸段差の有無を検出する。前方床面検出手段１４は、前方の床面までの距離を含む前方床面検出情報を制御手段４１（図２参照）に出力する。なお前方床面検出手段１４は省略されていてもよい。
【００３１】
メインスイッチ１３Ａは、制御装置４０の起動と停止を行うためのスイッチであり、作業者によって操作される。
【００３２】
タッチモニタ３１は、自律走行台車１の動作状態やバッテリ残量等の表示を行い、作業者からの入力の受け付けも行う。例えば、後述する再認識許可時間変更手段は、タッチモニタ３１にて実現されている。
【００３３】
アンテナ３２は、追尾対象者が所持した無線操作装置８０と無線にて情報を送受信するためのアンテナである。図２に示すように、制御手段４１は、アンテナ３２を介して無線操作装置８０から情報を受信することが可能であり、アンテナ３２を介して無線操作装置８０に情報を送信することが可能である。
【００３４】
音声出力手段３３は、例えばスピーカであり、警報出力手段に相当している。例えば制御手段４１（図２参照）は、追尾対象者を見失った追尾対象者ロスト状態に陥った場合、音声出力手段３３から所定警報（追尾対象者ロスト状態であることを知らせる音声）を出力する。
【００３５】
表示灯３９は、例えば赤色、黄色、緑色の各色の表示灯を有し、警報出力手段に相当している。例えば制御手段４１は、追尾対象者を認識できている追尾対象者認識状態では緑色の表示灯を点灯させ、追尾対象者を見失った追尾対象者ロスト状態では黄色の表示灯を点滅させ、追尾対象者が登録されていないときは赤色の表示灯を点灯させる。
【００３６】
通信用コネクタ３４は、制御手段４１に種々のデータ等を送信、あるいは制御手段４１から種々のデータ等を受信、するためのパーソナルコンピュータ等を接続するためのコネクタである。例えば追尾対象者を含む作業者は、パーソナルコンピュータにて作成した制御プログラム等を、通信用コネクタ３４を介して記憶手段４２（図２参照）に記憶させることができる。
【００３７】
バッテリ３８は、自律走行台車１内の制御手段４１や検出手段等の機器に電力を供給する電源である。
【００３８】
制御装置４０は、図２に示すように、制御手段４１（例えばＣＰＵ）と、記憶手段４２（例えばHard Disk Drive）等を有している。制御手段４１には、物体検出手段１１からの物体検出情報、右補助物体検出手段１２Ｒ及び左補助物体検出手段１２Ｌからの補助物体検出情報、前方床面検出手段１４からの前方床面検出情報、メインスイッチ１３Ａからの操作信号等が入力される。また制御手段４１は、記憶手段４２からのデータ等の読み出しと記憶手段４２へのデータ等の書き込み、受信手段４１Ａや送信手段４１Ｂとアンテナ３２を介した送受信、タッチモニタ３１への出力とタッチモニタ３１からの入力、右モータ３５Ｒ及び左モータ３５Ｌへの駆動信号の出力、等を行う。なお、受信手段４１Ａは、制御手段４１が、無線操作装置８０からの無線の情報を受信するためのものであり、送信手段４１Ｂは、制御手段４１が、無線操作装置８０への無線の情報を送信するためのものである。
【００３９】
無線操作装置８０は、追尾対象者に所持され、図２に示すように、無線操作制御手段８１、無線操作記憶手段８３、登録操作部８０Ａ、一時停止操作部８０Ｂ、リセット操作部８０Ｃ、アンテナ８２、バッテリ８４等を有している。無線操作記憶手段８３には、無線操作制御手段８１の処理のプログラム等が記憶されており、バッテリ８４は、無線操作制御手段８１、無線操作記憶手段８３等の電源である。
【００４０】
無線操作制御手段８１は、追尾対象者がリセット操作部８０Ｃ（例えばリセットボタン）を操作した場合（押した場合）、登録されている追尾対象者のリセットを要求するリセット要求情報を含むリセット情報を、アンテナ８２を介して自律走行台車１に無線で送信する。また無線操作制御手段８１は、追尾対象者が一時停止操作部８０Ｂ（例えば一時停止ボタン）を操作した場合（押した場合）、自律走行台車１の追尾動作の走行を一時的に停止する一時停止要求を含む一時停止情報を、アンテナ８２を介して自律走行台車１に無線で送信する。また無線操作制御手段８１は、追尾対象者が登録操作部８０Ａ（例えば登録ボタン）を操作（登録操作に相当）した場合（押した場合）、追尾対象者の登録を要求する登録要求情報を含む登録情報を、アンテナ８２を介して自律走行台車１に無線で送信する。
【００４１】
●［物体検出手段の物体検出領域（図３、図４）］
図３は、パーソナルコンピュータ等を用いて物体検出手段１１の最大検出領域１１Ａ内において、所望する２次元平面状の物体検出領域１１ＡＸを指定している様子を示している。
【００４２】
物体検出手段１１は、レーザ光を走査させる２次元平面状の物体検出領域１１ＡＸ（図３にて指定された領域）を有し、物体検出領域１１ＡＸ内にて検出された物体（障害物）の位置である物体位置と、検出された物体（障害物）のサイズである物体サイズと、を含む物体検出情報を制御手段４１（図２参照）に出力する。つまり、物体検出情報には、どの方向の、どれだけの距離の位置に、どのようなサイズの物体（障害物）があるか、という情報が含まれている。
【００４３】
物体検出手段１１の物体検出領域１１ＡＸの最大範囲となる最大検出領域１１Ａは、例えば、半径が約５［ｍ］、中心角度が約２７０［°］の扇形である。また、物体検出手段１１または制御装置４０には、複数の検出領域を設定（記憶）しておくことが可能である。作業者は、複数の検出領域を作成して物体検出手段１１または制御装置４０に記憶させておき、制御装置４０から検出領域の切り替えが可能である。作業者は、図３の例に示すように、パーソナルコンピュータ等にて検出領域作成用のプログラムを起動して、最大検出領域１１Ａ内において所望する検出領域を指定（作成）することができる。
【００４４】
図３の例は、物体検出手段１１の最大検出領域１１Ａ内において、物体検出領域１１ＡＸを指定（作成）した例を示している。作業者は、パーソナルコンピュータ等にて作成した物体検出領域１１ＡＸを、通信用コネクタ３４を介して物体検出手段１１や制御装置４０に記憶させることができる。
【００４５】
そして図４に示すように、自律走行台車１の前上端に配置された物体検出手段１１は、床面から所定高さにて略水平方向に広がる物体検出領域１１ＡＸにて、物体検出領域１１ＡＸ内の物体（障害物）の物体位置と物体サイズ等を検出する。
【００４６】
●［自律走行台車１の追尾動作の概略動作（図５）］
図５は、実際の荷物配送センターの作業エリア４２Ｒの平面図の例を示しており、作業エリア４２Ｒ内には、棚Ｒ１〜Ｒ６が配置されている例を示している。図５は、追尾対象者ＴＧ１が、点線にて示すように、時刻［ｔ１］〜時刻［ｔ３］にかけて、各棚Ｒ１〜Ｒ６と壁面Ｈ１〜Ｈ４にて挟まれた各通路を移動し、自律走行台車１が、一点鎖線にて示すように、障害物を回避しながら追尾対象者ＴＧ１に追尾して移動した様子を示している。
【００４７】
例えば追尾対象者ＴＧ１は、時刻［ｔ１］にて登録操作を行って自身を追尾対象者として登録する。自律走行台車１は、物体検出領域１１ＡＸ内に登録された追尾対象者ＴＧ１を認識できている追尾対象者認識状態の場合には、物体検出領域１１ＡＸ内に検出された物体（障害物であり、この場合、棚Ｒ１〜Ｒ６や壁面Ｈ１〜Ｈ４）を回避しながら追尾対象者ＴＧ１を追尾する追尾動作を実行する。
【００４８】
●［追尾対象者を見失った自律走行台車１の再認識動作の概略動作（図６）］
図６は、図５の時刻［ｔ１］〜時刻［ｔ３］の追尾動作中の時刻［ｔ２］と時刻［ｔ３］の間の時刻［ｔ２＋Δｔ］において、棚Ｒ３と壁面Ｈ４の間にて自律走行台車１が追尾対象者ＴＧ１を見失った場合の例を示している。図６の例では、時刻［ｔ２＋Δｔ］において、追尾対象者ＴＧ１が、棚Ｒ３と壁面Ｈ４との間の通路から左に曲がった際、追尾していた自律走行台車１の物体検出領域１１ＡＸ外に出てしまった例を示している。この場合、物体検出領域１１ＡＸ内に追尾対象者ＴＧ１が認識できなくなるので、自律走行台車１は、追尾対象者ＴＧ１を見失った追尾対象者ロスト状態に陥る。
【００４９】
自律走行台車１は、例えば、追尾対象者ロスト状態に陥った場合、走行を停止して所定警報を出力して、追尾対象者ロスト状態に陥ったことを追尾対象者ＴＧ１に知らせる。所定警報が出力されていることを認識した追尾対象者ＴＧ１は、自律走行台車１が追尾対象者ロスト状態に陥ったことを認識し、自律走行台車１に近づくように移動する。そして追尾対象者ＴＧ１は、物体検出領域１１ＡＸ外から物体検出領域１１ＡＸ内へと移動することで、自身を、見失った追尾対象者として自律走行台車１に再認識させる。自律走行台車１は、物体検出領域１１ＡＸ外から物体検出領域１１ＡＸ内へと移動してきた物体を、見失っていた追尾対象者ＴＧ１であると再認識する再認識動作を実行し、所定警報の出力を停止して追尾動作を再開する。
【００５０】
●［制御手段４１の処理手順（図７）］
次に図７を用いて、上述した追尾動作、及び再認識動作を行うための制御装置４０の制御手段４１（図２参照）の処理手順について説明する。制御手段４１は、例えばメインスイッチ１３Ａ（図１、図２参照）が操作されると、所定時間間隔（例えば数［ｍｓ］〜数１０［ｍｓ］間隔）にて図７に示す処理を起動し、起動するとステップＳ０１０へと処理を進める。
【００５１】
ステップＳ０１０にて制御手段４１は、物体検出手段１１からの物体検出情報に基づいて物体検出領域内の種々の物体の物体位置及び物体サイズを検出し、ステップＳ０１５へ処理を進める。
【００５２】
ステップＳ０１５にて制御手段４１は、無線操作装置８０からリセット情報を受信しているか否かを判定し、リセット情報を受信している場合（Ｙｅｓ）はステップＳ０２０へ処理を進め、リセット情報を受信していない場合（Ｎｏ）はステップＳ０２５へ処理を進める。
【００５３】
ステップＳ０２０に処理を進めた場合、制御手段４１は、記憶手段に記憶している現在の追尾対象者に関する情報を削除（リセット）して、警報出力手段（例えば、音声出力手段３３）からの出力を停止し、ロストフラグ（追尾対象者ロスト状態を示すフラグ）をＯＦＦにしてステップＳ０２５へ処理を進める。
【００５４】
ステップＳ０２５に処理を進めた場合、制御手段４１は、無線操作装置８０から一時停止情報を受信しているか否かを判定し、一時停止情報を受信している場合（Ｙｅｓ）はステップＳ０８０Ｂへ処理を進め、一時停止情報を受信していない場合（Ｎｏ）はステップＳ０３０へ処理を進める。
【００５５】
ステップＳ０３０に処理を進めた場合、制御手段４１は、追尾対象者が登録されているか否かを判定し、登録されている場合（Ｙｅｓ）はステップＳ０４２へ処理を進め、登録されていない場合（Ｎｏ）はステップＳ０３５に処理を進める。
【００５６】
ステップＳ０３５に処理を進めた場合、制御手段４１は、無線操作装置８０から登録情報を受信しているか否かを判定し、登録情報を受信している場合（Ｙｅｓ）はステップＳ０４０に処理を進め、登録情報を受信していない場合（Ｎｏ）はステップＳ０８０Ｅへ処理を進める。
【００５７】
ステップＳ０４０にて制御手段４１は、ステップＳ０１０にて取得した物体検出情報に含まれている物体位置及び物体サイズの物体の中から、例えば、自律走行台車１の前方の最も近い位置の物体、かつ、横方向のサイズが、物体検出領域１１ＡＸの高さで検出される人体の横幅に近い登録許容サイズ範囲内（例えば４０［ｃｍ］程度〜７０［ｃｍ］程度）である物体を抽出する。そして制御手段４１は、抽出した物体の横方向サイズとともに抽出した物体を追尾対象者として登録し、ステップＳ０４２に処理を進める。
【００５８】
ステップＳ０４２に処理を進めた場合、制御手段４１は、ロストフラグ（追尾対象者ロスト状態を示すフラグ）がＯＮであるか否かを判定し、ロストフラグがＯＮである場合（Ｙｅｓ）はステップＳ１１０に処理を進め、ロストフラグがＯＮでない場合（Ｎｏ）はステップＳ０４５に処理を進める。
【００５９】
ステップＳ０４５に処理を進めた場合、制御手段４１は、ステップＳ０１０にて取得した物体検出情報に含まれている物体位置及び物体サイズの中に、追尾対象者と認識できる物体があるか否かを判定（例えば、物体の位置に応じて換算した横方向サイズが、ステップＳ０４０にて登録した横方向サイズに近似する物体があるか否かを判定）する。そして制御手段４１は、追尾対象者と認識できる物体がある場合（Ｙｅｓ）はステップＳ０７０へ処理を進め、追尾対象者と認識できる物体が見当たらない場合（Ｎｏ）はステップＳ１１０へ処理を進める。
【００６０】
［追尾対象者認識状態の処理］
ステップＳ０７０へ処理を進めた場合は、物体検出領域１１ＡＸ内に追尾対象者が認識できている追尾対象者認識状態の場合であり、追尾対象者として認識した物体までの方向と距離を求め、ステップＳ０７５へ処理を進める。
【００６１】
ステップＳ０７５にて制御手段４１は、ステップＳ０１０にて取得した物体検出情報に含まれている物体位置及び物体サイズの各物体（障害物）の位置とサイズを求めてステップＳ０８０Ａへ処理を進める。
【００６２】
［追尾対象者ロスト状態の処理］
ステップＳ１１０に処理を進めた場合は、物体検出領域１１ＡＸ内に追尾対象者が認識できず、追尾対象者を見失った追尾対象者ロスト状態の場合であり、制御手段４１は、ロストフラグをＯＮにしてステップＳ１１５へ処理を進める。
【００６３】
ステップＳ１１５にて制御手段４１は、再認識タイマが起動中であるか否かを判定し、再認識タイマが起動している場合（Ｙｅｓ）はステップＳ１２５に処理を進め、再認識タイマが起動していない場合（Ｎｏ）はステップＳ１２０に処理を進める。
【００６４】
ステップＳ１２０に処理を進めた場合、制御手段４１は、再認識タイマを起動してステップＳ１２５に処理を進める。
【００６５】
ステップＳ１２５に処理を進めた場合、制御手段４１は、再認識タイマの時間が、再認識許容時間以下であるか否かを判定し、再認識許容時間以下である場合（Ｙｅｓ）はステップＳ１３０へ処理を進め、再認識許容時間を超えている場合（Ｎｏ）はステップＳ０８０Ｄへ処理を進める。
【００６６】
ステップＳ１３０に処理を進めた場合、制御手段４１は、再認識許容時間内において、物体検出領域外から物体検出領域内に入ってきた物体があるか否かを判定し、当該物体がある場合（Ｙｅｓ）はステップＳ１３５に処理を進め、当該物体がない場合（Ｎｏ）はステップＳ０８０Ｃに処理を進める。
【００６７】
ステップＳ１３５に処理を進めた場合、制御手段４１は、ステップＳ１３０にて抽出された物体（物体検出領域外から物体検出領域内に入ってきた物体）の中に、登録許容サイズ範囲の物体があるか否かを判定し、登録許容サイズ範囲の物体がある場合（Ｙｅｓ）はステップＳ１４０に処理を進め、登録許容サイズ範囲の物体がない場合（Ｎｏ）はステップＳ０８０Ｃに処理を進める。
【００６８】
ステップＳ１４０に処理を進めた場合、制御手段４１は、ステップＳ１３５にて抽出された物体の中から、所定時間以上連続して検出されている（連続して抽出されている）物体があるか否かを判定し、所定時間以上連続して検出されている物体がある場合（Ｙｅｓ）はステップＳ１４５に処理を進め、所定時間以上連続して検出されている物体がない場合（Ｎｏ）はステップＳ０８０Ｃへ処理を進める。
【００６９】
ステップＳ１４５に処理を進めた場合、制御手段４１は、ステップＳ１４０にて抽出された物体が単数であるか否かを判定し、単数である場合（Ｙｅｓ）はステップＳ１５０Ｂに処理を進め、単数でない（複数の）場合（Ｎｏ）はステップＳ１５０Ａへ処理を進める。
【００７０】
ステップＳ１５０Ａに処理を進めた場合、制御手段４１は、ステップＳ１４５にて抽出された複数の物体の中から、自律走行台車１の正面の最も近い位置の物体を、追尾対象者として再認識してステップＳ１５５へ処理を進める。
【００７１】
ステップＳ１５０Ｂに処理を進めた場合、制御手段４１は、ステップＳ１４５にて抽出された単数の物体を、追尾対象者として再認識してステップＳ１５５へ処理を進める。
【００７２】
ステップＳ１５５に処理を進めた場合、制御手段４１は、ロストフラグをＯＦＦにしてステップＳ０７０へ処理を進める。
【００７３】
以上に説明したステップＳ１１０〜Ｓ１５５の処理は、追尾対象者ロスト状態の場合において、物体検出領域外から物体検出領域内に移動してきた物体を、見失った追尾対象者として再認識する再認識動作を実行させる処理である。
【００７４】
［追尾対象者認識状態の場合の出力］
ステップＳ０８０Ａに処理を進めた場合は、追尾対象者認識状態の場合であり、制御手段４１は、物体検出領域１１ＡＸ内に認識された障害物を回避しながら追尾対象者に追尾（近づく）する追尾動作を実行するように駆動手段（右モータ３５Ｒ、左モータ３５Ｌ）を制御してステップＳ０８５Ａに処理を進める。
【００７５】
ステップＳ０８５Ａにて制御手段４１は、対象者認識状態を示す出力を実行して処理を終了する。例えば、制御手段４１は、追尾対象者認識状態を示す音声を音声出力手段３３から出力し、追尾対象者認識状態を示す表示（例えば、緑色の表示灯を点灯）を表示灯３９から出力して処理を終了する。
【００７６】
［一時停止の場合の出力］
ステップＳ０８０Ｂに処理を進めた場合は、一時停止の場合であり、制御手段４１は、駆動手段（右モータ３５Ｒ、左モータ３５Ｌ）を停止してステップＳ０８５Ｂに処理を進める。
【００７７】
ステップＳ０８５Ｂにて制御手段４１は、一時停止状態を示す出力を実行して処理を終了する。例えば、制御手段４１は、一時停止を示す音声を音声出力手段３３から出力し、一時停止を示す表示（例えば、緑色の表示灯を点滅）を表示灯３９から出力して処理を終了する。
【００７８】
［追尾対象者ロスト状態、かつ、再認識許可時間内、の出力］
ステップＳ０８０Ｃに処理を進めた場合は、追尾対象者ロスト状態、かつ、再認識許可時間内、の場合であり、制御手段４１は、駆動手段（右モータ３５Ｒ、左モータ３５Ｌ）を停止してステップＳ０８５Ｃに処理を進める。
【００７９】
ステップＳ０８５Ｃにて制御手段４１は、追尾対象者ロスト状態、かつ、再認識許可時間内、を示す出力を実行して処理を終了する。例えば、制御手段４１は、追尾対象者ロスト状態、かつ、再認識許可時間内、を示す音声を音声出力手段３３から出力し、追尾対象者ロスト状態、かつ、再認識許可時間内、を示す表示（例えば、黄色の表示灯を点滅）を表示灯３９から出力して処理を終了する。
【００８０】
［追尾対象者ロスト状態、かつ、再認識許可時間を超えた場合、の出力］
ステップＳ０８０Ｄに処理を進めた場合は、追尾対象者ロスト状態、かつ、再認識許可時間を超えた場合であり、制御手段４１は、駆動手段（右モータ３５Ｒ、左モータ３５Ｌ）を停止してステップＳ０８５Ｄに処理を進める。
【００８１】
ステップＳ０８５Ｄにて制御手段４１は、追尾対象者ロスト状態、かつ、再認識許可時間を超えたことを示す出力を実行して処理を終了する。例えば、制御手段４１は、追尾対象者ロスト状態、かつ、再認識許可時間を超えたことを示す音声を音声出力手段３３から出力し、追尾対象者ロスト状態、かつ、再認識許可時間を超えたことを示す表示（例えば、黄色の表示灯を点灯）を表示灯３９から出力して処理を終了する。
【００８２】
［追尾対象者が未登録の場合の出力］
ステップＳ０８０Ｅに処理を進めた場合は、追尾対象者が未登録の場合であり、制御手段４１は、駆動手段（右モータ３５Ｒ、左モータ３５Ｌ）を停止してステップＳ０８５Ｅに処理を進める。
【００８３】
ステップＳ０８５Ｅにて制御手段４１は、追尾対象者が未登録であることを示す出力を実行して処理を終了する。例えば、制御手段４１は、追尾対象者が未登録であることを示す音声を音声出力手段３３から出力し、追尾対象者が未登録であることを示す表示（例えば、赤色の表示灯を点灯）を表示灯３９から出力して処理を終了する。
【００８４】
以上に説明したように、追尾対象者は、自律走行台車１の表示灯３９が例えば黄色の点滅で追尾対象者ロスト状態かつ再認識許容時間内である音声が出力されている場合、急いで自律走行台車１の物体検出領域内に入るだけで、自身を追尾対象者として再認識させて追尾動作を再開させることができる。なお、自律走行台車１の表示灯３９が例えば黄色の点灯で追尾対象者ロスト状態かつ再認識許容時間を超えてしまっている音声が出力されている場合、追尾対象者は、自律走行台車１の物体検出領域内に入っても再認識させることができないので、リセット操作部を操作して追尾対象者の登録をリセットした後、登録操作部を操作して追尾対象者を登録すればよい。
【００８５】
以上に説明した本実施の形態の自律走行台車１は、追尾対象者に追尾するように移動する自律走行台車１において、自律走行台車１が追尾対象者を見失った場合、容易かつ手間なく追尾対象者を再認識させることが可能であり、容易かつ手間なく追尾を再開させることができる。
【００８６】
本発明の自律走行台車１は、本実施の形態で説明した構成、構造、外観、形状、処理手順等に限定されず、本発明の要旨を変更しない範囲で種々の変更、追加、削除が可能である。
【００８７】
本実施の形態の説明では、再認識許可時間が予め設定されている例で説明し、変更の可否については説明しなかったが、例えばタッチモニタ３１を再認識許可時間変更手段として、追尾対象者が再認識許可時間を自由に変更できるようにしてもよい。
【００８８】
本実施の形態の説明では、物体検出領域１１ＡＸを、追尾対象者認識状態と追尾対象者ロスト状態で同じとした例を説明したが、追尾対象者ロスト状態での物体検出領域を、追尾対象者認識状態の物体検出領域よりも広くするようにしてもよい。
【００８９】
本実施の形態の説明では、追尾対象者ロスト状態の場合、物体検出領域外から物体検出領域内に入ってきた物体に対して、所定時間以上連続して検出された物体、かつ、最も近い位置の物体、を見失った追尾対象者として再認識させた。しかし、物体検出領域外から物体検出領域内に入ってきた物体を、見失った追尾対象者として再認識させてもよい。また、物体検出領域外から物体検出領域内に入ってきた物体であって、所定時間以上連続して検出された物体、または、最も近い位置の物体、の少なくとも一方の物体を、見失った追尾対象者として再認識させてもよい。
【００９０】
本実施の形態の説明では、警報出力手段として、音声出力手段３３と表示灯３９を用いた例を説明したが、警報出力手段はこれらに限定されるものではなく、例えばタッチモニタ３１等を警報出力手段として利用してもよい。また、自律走行台車１の各状態に対する表示灯３９の出力（色彩、点灯・点滅）の例は、本実施の形態にて説明した出力に限定されるものではなく、種々の色彩の表示灯を、種々の方法（点灯・点滅）で出力できる。
【００９１】
本実施の形態の説明では、物体検出手段１１として、レーザ光を走査して物体を検出するLaser Range Finderを用いた例で説明したが、物体検出手段１１として、カメラを用い、画像認識にて物体を検出するようにしてもよい。
【００９２】
また、本実施の形態の説明に用いた数値は一例であり、この数値に限定されるものではない。また、以上（≧）、以下（≦）、より大きい（＞）、未満（＜）等は、等号を含んでも含まなくてもよい。
【００９３】
本発明の自律走行台車１を適用する場所は、製造工場、荷物配送センター、パーツセンター等に限定されるものではなく、種々の場所にて自律走行台車１を適用することができる。
【符号の説明】
【００９４】
１        自律走行台車
２        ボディ
３        荷台
４Ｌ      左駆動輪（車輪）
４Ｒ      右駆動輪（車輪）
５Ｌ      左キャスタ輪（車輪）
５Ｒ      右キャスタ輪（車輪）
１１      物体検出手段
１１Ａ    最大検出領域
１１ＡＸ    物体検出領域
１２Ｌ    左補助物体検出手段
１２Ｒ    右補助物体検出手段
１３Ａ    メインスイッチ
１４      前方床面検出手段
３１      タッチモニタ
３２      アンテナ
３３      音声出力手段（警報出力手段）
３４      通信用コネクタ
３５Ｌ    左モータ（駆動手段）
３５Ｒ    右モータ（駆動手段）
３８      バッテリ
３９      表示灯（警報出力手段）
４０      制御装置
４１      制御手段
４１Ａ    受信手段
４１Ｂ    送信手段
４２      記憶手段
４２Ｒ    （実際の）作業エリア
８０      無線操作装置
８０Ａ    登録操作部
８０Ｂ    一時停止操作部
８０Ｃ    リセット操作部
８２      アンテナ
Ｈ１〜Ｈ４    壁面
Ｒ１〜Ｒ６    棚
ＴＧ１        追尾対象者
【図１】
2019204414.tif 000003
【図２】
2019204414.tif 000004
【図３】
2019204414.tif 000005
【図４】
2019204414.tif 000006
【図５】
2019204414.tif 000007
【図６】
2019204414.tif 000008
【図７】
2019204414.tif 000009